(57)【要約】
【課題】　クリーナー本体に設置される貯水ボックをベースに対し着脱自在とし、貯水ボックスへの水の注入を容易にしたスチーム式クリーナーを提供する。
【解決手段】　クリーナー本体１と水蒸気スプレー４０とを柔軟性パイプ３０によって連結したスチーム式クリーナーであって、前記本体１はベース１０及びベースに対し着脱自在の貯水ボックス２０を備え、ベースの一端に柔軟性パイプが連結され、他端がフィルタ１２とポンプ１４を介して貯水ボックス２０に連結され、ベースの中央には注水口１１が形成されるとともに、導電ワイヤーとスイッチ１５とが設けられおり、貯水ボックス２０は上部に通気孔を有し、かつ下部には注水口１１と対応する出水口２１が形成されてなり、前記水蒸気スプレー４０に上部にハンドルを、また前端にはノズルを有し、後端には柔軟性パイプが連結されており、前記ノズルと柔軟性パイプとの間に電熱器１４が設けられ、ポンプを制御するためのスプレー開閉スイッチが設けられた構成とした。
【選択図】　図１
0003100552.tif 000002
【実用新案登録請求の範囲】
【請求項１】
クリーナー本体１と、水蒸気スプレー４０を柔軟性パイプ３０によって連結してなるスチーム式クリーナーであって、
　前記本体１はベース１０及びベース１０に対して着脱自在の貯水ボックス２０を備え、前記貯水ボックス２０の設置位置におけるベース１０の一端中央に形成された注水口１１には柔軟性パイプ３０の一端が接続され、フィルタ１２と柔軟性パイプ３０との間におけるベース１０の内部にポンプ１４が設置され、かつベース１０には導電ワイヤーとスイッチ１５を有し、前記貯水ボックス２０の上部に通気孔２３が形成されると共に、下部に注水口１１と対応する出水口２１が形成されてなり、
　前記水蒸気スプレー４０はハンドル４１を有し、かつ前端にノズル４２が設けられると共に、後端には柔軟性パイプ３０が連結され、ノズル４２と柔軟性パイプ３０との間における水蒸気スプレー４０の内部には、ベース１０のスイッチ１５に接続される電熱器４５が設けられ、前記ハンドル４１付近にポンプ１４を制御するためのスプレー開閉スイッチ４６が設けられることを特徴とするスチーム式クリーナー。
【請求項２】
前記出水口２１に着脱自在の片方向弁２２が設けられると共に、この片方向弁２２がベース１０における注水口１１の押圧部１１１によって開放され、前記ベース１０の一側に位置決め溝１３が形成され、該位置決め溝１３に着脱自在のフィルタ１２が設けられると共に、連結パイプによって注水口１１と連結され、貯水ボックス２０の前端の底部にフック部２５が設けられると共に、後端に位置決めブロック２６が設けられ、貯水ボックス２０の設置位置におけるベース１０の前、後端に前方係合部１６と、位置決めブロック２６と結合するための位置決め凹部１７が設けられ、前記前方係合部１６が弾性部材を介してしてベース１０に枢設されることにより、前端における係合フック１６１がベース１０の上部から突出しながら、貯水ボックス２０底部におけるフック部２５と係合され、又、前方係合部１６の押圧部１６２がベース１０から外側へ突出されてなり、前記ベース１０の後端に収納頚部１８が設けられると共に、この収納頚部１８の外端に外径がより大きい止め部材１８１が設けられることにより、柔軟性パイプ３０が収納頚部１８に巻き込んで収納され、前記貯水ボックス２０の外側にネジによってカバー２４が固定されると共に、カバー２４の上面に取手部２４１が設けられ、水蒸気スプレー４０の底面の前端付近に貯水ボックス２０のカバー２４の取手部２４１に掛止するための引掛けフック４３が設けられると共に、底面の後端に係合溝４４が形成され、ベース１０の上面に押圧部材１９２によって制御されると共に、係合溝４４に固定するための後方係合部１９が設けられることにより、水蒸気スプレー４０を本体１に固定させ、又、前記後方係合部１９は弾性部材を介してベース１０に枢設されると共に、上部における後方係合フック１９１が後方係合部１９に係合されることを特徴とする請求項１に記載のスチーム式クリーナー。
【請求項３】
前記貯水ボックス２０の通気孔２３に閉塞プレート２７１を有する制御部材２７が設けられ、前記ベース１０の内部におけるポンプ１４の外側に熱放散プレート１４１が設けられると共に、フィルタ１２とポンプ１４の間における該熱放散プレート１４１の一側に金属パイプ１４２が設けられることを特徴とする請求項１又は２に記載のスチーム式クリーナー。
【考案の詳細な説明】
【技術分野】
【０００１】
　本考案は、特にクリーナー本体と水蒸気スプレーを柔軟性パイプによって連結することにより高温の水蒸気を清潔剤として使用するスチーム式クリーナーに関するものである。
【背景技術】
【０００２】
　スチーム式クリーナーは、水を加熱して水蒸気を発生させることにより、化学薬剤等の洗剤を使用せずに床，壁についた汚れを除去すると共に、高温の水蒸気によってダニや細菌などを死滅させることができる作用を有するものである。
【考案の開示】
【考案が解決しようとする課題】
【０００３】
　従来のスチーム式クリーナーには携帯式及び分離式クリーナーがあり、その携帯式クリーナーは、水を携帯式本体内に注入するため、重量が重過ぎると共に、携帯式であることから、貯水容量が小さく、使用上非常に不便である。又、分離式クリーナーは、貯水タンクを有する本体が地面上に設置されているので、大量の貯水が可能であるが、クリーナー本体に大量の水を注入した後、かなりな重量を有するクリーナー本体を目的の場所に運ぶ必要があるので、非常に不便で作業性が悪い問題点がある。
【０００４】
　そこで、案出されたのが本考案であって、クリーナー本体内部の貯水ボックスをクリーナー本体と分離すると共に、該貯水ボックスに注水することにより利便性を高めたスチーム式クリーナーを提供することを目的としている。
【課題を解決するための手段】
【０００５】
　本願の請求項１の考案は、クリーナー本体１と、水蒸気スプレー４０を柔軟性パイプ３０によって連結してなるスチーム式クリーナーであって、前記本体１はベース１０及びベース１０に対して着脱自在の貯水ボックス２０を備え、前記貯水ボックス２０の設置位置におけるベース１０の一端中央に形成された注水口１１には柔軟性パイプ３０の一端が接続され、フィルタ１２と柔軟性パイプ３０との間におけるベース１０の内部にポンプ１４が設置され、かつベース１０には導電ワイヤーとスイッチ１５を有し、前記貯水ボックス２０の上部に通気孔２３が形成されると共に、下部に注水口１１と対応する出水口２１が形成されてなり、前記水蒸気スプレー４０はハンドル４１を有し、かつ前端にノズル４２が設けられると共に、後端には柔軟性パイプ３０が連結され、ノズル４２と柔軟性パイプ３０との間における水蒸気スプレー４０の内部には、ベース１０のスイッチ１５に接続される電熱器４５が設けられ、前記ハンドル４１付近にポンプ１４を制御するためのスプレー開閉スイッチ４６が設けられることを特徴とする。
【０００６】
　請求項２の考案は、請求項１に記載した請求項１に記載のスチーム式クリーナーにおいて、前記出水口２１に着脱自在の片方向弁２２が設けられると共に、この片方向弁２２がベース１０における注水口１１の押圧部１１１によって開放され、前記ベース１０の一側に位置決め溝１３が形成され、該位置決め溝１３に着脱自在のフィルタ１２が設けられると共に、連結パイプによって注水口１１と連結され、貯水ボックス２０の前端の底部にフック部２５が設けられると共に、後端に位置決めブロック２６が設けられ、貯水ボックス２０の設置位置におけるベース１０の前、後端に前方係合部１６と、位置決めブロック２６と結合するための位置決め凹部１７が設けられ、前記前方係合部１６が弾性部材を介してしてベース１０に枢設されることにより、前端における係合フック１６１がベース１０の上部から突出しながら、貯水ボックス２０底部におけるフック部２５と係合され、又、前方係合部１６の押圧部１６２がベース１０から外側へ突出されてなり、前記ベース１０の後端に収納頚部１８が設けられると共に、この収納頚部１８の外端に外径がより大きい止め部材１８１が設けられることにより、柔軟性パイプ３０が収納頚部１８に巻き込んで収納され、前記貯水ボックス２０の外側にネジによってカバー２４が固定されると共に、カバー２４の上面に取手部２４１が設けられ、水蒸気スプレー４０の底面の前端付近に貯水ボックス２０のカバー２４の取手部２４１に掛止するための引掛けフック４３が設けられると共に、底面の後端に係合溝４４が形成され、ベース１０の上面に押圧部材１９２によって制御されると共に、係合溝４４に固定するための後方係合部１９が設けられることにより、水蒸気スプレー４０を本体１に固定させ、又、前記後方係合部１９は弾性部材を介してベース１０に枢設されると共に、上部における後方係合フック１９１が後方係合部１９に係合されることを特徴とする。
【０００７】
　請求項３の考案は、請求項１又は２に記載のスチーム式クリーナーにおいて、前記貯水ボックス２０の通気孔２３に閉塞プレート２７１を有する制御部材２７が設けられ、前記ベース１０の内部におけるポンプ１４の外側に熱放散プレート１４１が設けられると共に、フィルタ１２とポンプ１４の間における該熱放散プレート１４１の一側に金属パイプ１４２が設けられることを特徴とする。
【考案の効果】
【０００８】
　本考案は上記の構成を有するものであり、着脱自在の貯水ボックスとベースにより、注水の際、本体をわざわざ水道の付近まで移動させる必要がなく、貯水ボックスのみを移動すればよいので、楽に注水することができ、更に、ポンプに熱放散プレートが設けられているので、過熱による機械の破損を防止することができる。
【考案を実施するための最良の形態】
【０００９】
　以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【００１０】
　図１は、本考案に係るスチーム式クリーナーの一実施例を示す分解斜視図であり、図２は本考案に係るスチーム式クリーナーにおける貯水ボックスの底部を示す平面図であり、図３は本考案に係るスチーム式クリーナーにおける貯水ボックスとベースの分離状態を示す一部破断して示す側面図であり、図４は本考案に係るスチーム式クリーナーにおける貯水ボックスとベースの結合状態を示す要部断面図であり、図５は本考案に係るスチーム式クリーナーにおける水蒸気スプレーとクリーナー本体の結合状態を示す平面図であり、図６は図５の一部拡大断面図であり、図７は本考案に係るスチーム式クリーナーにおける水蒸気スプレーをクリーナー本体から取り外す状態を示す側面図であり、図８は本考案に係るスチーム式クリーナーにおける貯水ボックスの通気孔に制御部材を設けた状態を示す要部断面図であり、図９は本考案に係るスチーム式クリーナーにおける貯水ボックスの通気孔に配設された制御部材の開放状態を示す要部断面図であり、図１０は本考案に係るスチーム式クリーナーにおけるポンプに熱放散プレートと金属パイプを設けた状態を示す側面図である。
【００１１】
　図１に示すように、本考案に係るスチーム式クリーナーは、クリーナー本体１（以下本体という）と、柔軟性パイプ３０によって本体１と連結する水蒸気スプレー４０とを有する。前記本体１は着脱自在な貯水ボックス２０を設置するベース１０を備え、該ベース１０の後端には前記柔軟性パイプ３０の一端が連結され、貯水ボックス２０が設置されるベース１０の中央には押圧部１１１を有する注水口１１が形成されると共に、その一側に位置決め溝１３が形成され、該位置決め溝１３に着脱自在のフィルタ１２が設けられると共に、連結パイプによって注水口１１と連結されている。
　また、フィルタ１２と柔軟性パイプ３０との間に位置するベース１０の内部にポンプ１４が設置されると共に、ベース１０にワイヤーとスイッチ１５が設けられている。前記貯水ボックス２０には、上部に通気孔２３が形成されると共に、下部に注水口１１と対応する出水口２１が形成されている。
　図２及び図３に示すように、前記出水口２１には着脱自在の片方向弁２２が設けられると共に、この片方向弁２２がベース１０の注水口１１の押圧部１１１によって動作されるようになっている。
【００１２】
　また、図１に示すように、前記水蒸気スプレー４０の後方にはハンドル４１が設置されており、さらに前端にはノズル４２が設けられると共に、後端には柔軟性パイプ３０が連結されている。前記水蒸気スプレー４０の内部に収納された前記ノズル４２と柔軟性パイプ３０との間には、導電ワイヤーとスイッチ１５が接続された電熱器４５が設けられている。
　また、前記ハンドル４１付近の水蒸気スプレー４０には前記ポンプ１４を制御するためのスプレー開閉スイッチ４６が設けられると共に、水蒸気スプレー４０の電熱器４５への導電状態を表示する表示ランプ４７が設けられている。
【００１３】
　図１、図３及び図４に示すように、貯水ボックス２０の前端側の底部にはフック部２５が設けられると共に、後端側には位置決めブロック２６が設けられ、貯水ボックス２０をベース１０に設置する際に位置決めされる前方係合部１６と、位置決めブロック２６と結合するための位置決め凹部１７とが設けられている。
　さらに、前記前方係合部１６が弾性部材を介してベース１０に枢設されることにより、前端における係合フック１６１がベース１０の上部から突出しながら、貯水ボックス２０底部におけるフック部２５と係合され、又、前方係合部１６の押圧部１６２がベース１０から外側へ突出されている。
【００１４】
　図３に示すように、本体１のベース１０の後端には収納頚部１８が設けられると共に、この収納頚部１８の外端側には外径がより大きい止め部材１８１が設けられることにより、柔軟性パイプ３０が収納頚部１８に巻き込んで収納されるようになっている。
【００１５】
　図１に示すように、前記貯水ボックス２０の外側にネジによってカバー２４が固定されると共に、カバー２４の上面に取手部２４１が設けられている。
【００１６】
　図５乃至図７に示すように、前記水蒸気スプレー４０の底面の前端付近には、貯水ボックス２０のカバー２４に設けた取手部２４１に係止するための引掛けフック４３が設けられると共に、底面の後端に係合溝４４が形成されている。
【００１７】
　前記ベース１０の上面には押圧部材１９２によって制御され、係合溝４４に固定するための後方係合部１９が設けられることにより、水蒸気スプレー４０を本体１に固定するようになっている。
　また、前記後方係合部１９は弾性部材を介してベース１０に旋回自在に枢設されると共に、上部の後方係合フック１９１が後方係合部１９に係止されるようになっている。
【００１８】
　図１及び図８に示すように、前記貯水ボックス２０の通気孔２３には閉塞プレート２７１を有する制御部材２７が設けられることにより、通気孔２３の開閉を制御する。図１及び図８に示すように、貯水ボックス２０の出水口２１（図２参照）を上に向けて貯水ボックス２０の内部に水を注入する際、制御部材２７によって通気孔２３を閉塞させ、又、図１及び図９に示すように、出水口２１を下に向けて貯水ボックス２０をベース１０に設置する際、該制御部材２７によって閉塞プレート２７１を開放させることにより、通気孔２３が開放される。
【００１９】
　図１０に示すように、前記ベース１０の内部におけるポンプ１４の外側には熱放散プレート１４１が設けられると共に、フィルタ１２とポンプ１４の間における該熱放散プレート１４１の一側に金属パイプ１４２が設けられることにより、ポンプ１４から発生する熱を放散する。
【００２０】
　図１、図３及び図４に示すように、本考案に係るスチーム式クリーナーを使用する場合、貯水ボックス２０を本体１のベース１０から取り外し、出水口２１における片方向弁２２も取り外すことにより、貯水ボックス２０の出水口２１を上に向け水を貯水ボックス２０の内部に注入する。水を貯水ボックス２０の内部に注入した後、片方向弁２２を出水口２１に取り付けると共に、貯水ボックス２０をベース１０に取り付けることにより、注水が容易となる。
　また、貯水ボックス２０とベース１０を組合せる際、ベース１０の押圧部１１１が片方向弁２２を押圧することにより、貯水ボックス２０の内部における水が注水口１１を通じてベース１０の内部に流れ込み、この水がポンプ１４によって加熱した電熱器４５を通じて水蒸気になると共に、ポンプ１４の駆動によって水蒸気として水蒸気スプレー４０から噴出される。
【産業上の利用可能性】
【００２１】
　本考案は上記の構成を有するので、着脱自在の貯水ボックスへの注入の際、貯水ボックスをベースから取り外せる構成となっているので、クリーナー本体をわざわざ水道の付近まで移動させる必要がなく、貯水ボックスのみを移動すればよいので、注水が極めて容易となる。
　更に、ポンプに熱放散プレートが設けられるているので、過熱による機械の破損を防止することができる。
【図面の簡単な説明】
【００２２】
【図１】本考案に係るスチーム式クリーナーの一実施例を示す分解斜視図である。
【図２】本考案に係るスチーム式クリーナーにおける貯水ボックスの底部を示す底面図である。
【図３】本考案に係るスチーム式クリーナーにおける貯水ボックスとベースの分離状態を示す分解側面図である。
【図４】本考案に係るスチーム式クリーナーにおける貯水ボックスとベースの結合状態を示す要部断面図である。
【図５】本考案に係るスチーム式クリーナーにおける水蒸気スプレーとクリーナー本体の結合状態を示す側面図である。
【図６】図５の後方係合部の拡大断面図である。
【図７】本考案に係るスチーム式クリーナーにおける水蒸気スプレーを本体から取り外す状態を一部破断して示す側面図である。
【図８】本考案に係るスチーム式クリーナーにおける貯水ボックスの通気孔に制御部材よって閉塞した状態を示す要部断面図である。
【図９】本考案に係るスチーム式クリーナーにおける貯水ボックスの通気孔を制御部材によって開放した状態を示す要部断面図である。
【図１０】本考案に係るスチーム式クリーナーにおけるポンプに熱放散プレートと金属パイプを設けた状態を示す側面図である。
【符号の説明】
【００２３】
　１　　　　　クリーナー本体
　１０　　　　ベース
　１１　　　　注水口
　１１１　　　押圧部
　１２　　　　フィルタ
　１３　　　　位置決め溝
　１４　　　　ポンプ
　１４１　　　熱放散プレート
　１４２　　　金属パイプ
　１５　　　　スイッチ
　１６　　　　前方係合部
　１６１　　　係合フック
　１６２　　　押圧部
　１７　　　　位置決め凹部
　１８　　　　収納頚部
　１８１　　　止め部材
　１９　　　　後方係合部
　１９１　　　後方係合フック
　１９２　　　押圧部材
　２０　　　　貯水ボックス
　２１　　　　出水口
　２２　　　　片方向弁
　２３　　　　通気孔
　２４　　　　カバー
　２４１　　　取手部
　２５　　　　フック部
　２６　　　　位置決めブロック
　２７　　　　制御部材
　２７１　　　閉塞プレート
　３０　　　　柔軟性パイプ
　４０　　　　水蒸気スプレー
　４１　　　　ハンドル
　４２　　　　ノズル
　４３　　　　引掛けフック
　４４　　　　係合溝
　４５　　　　電熱器
　４６　　　　開閉スイッチ
　４７　　　　表示ランプ
【図１】
0003100552.tif 000003
【図２】
0003100552.tif 000004
【図３】
0003100552.tif 000005
【図４】
0003100552.tif 000006
【図５】
0003100552.tif 000007
【図６】
0003100552.tif 000008
【図７】
0003100552.tif 000009
【図８】
0003100552.tif 000010
【図９】
0003100552.tif 000011
【図１０】
0003100552.tif 000012